(57)【特許請求の範囲】
【請求項１】
負圧により母乳を搾り出すための搾乳器において、
乳房に当てるための搾乳部と、
前記搾乳部に接続配置され、前記搾乳部内に前記負圧を発生させる負圧発生手段と、
前記搾乳部に接続配置され、前記負圧により搾り出された前記母乳を一時的に溜める第１貯留部と、
前記搾乳部に接続配置され、前記第１貯留部に一時的に溜められた前記母乳を溜める第２貯留部と、
前記搾乳部の内外をつなぐ吸排気管と前記吸排気管との途中に接続され、前記搾乳部内の空気を吸気して前記搾乳部外へ排気する吸排気手段を駆動する駆動手段と
を備えており、
該駆動手段の駆動により生成される回転力により負圧開放口を閉止し、該駆動手段の駆動停止により、前記回転力が消失することで、前記負圧開放口を開放する構成とした
ことを特徴とする搾乳器。
【請求項２】
前記駆動手段により回転される押し付け部が、前記回転力により変形することで前記負圧開放口を閉止し、前記駆動手段が停止されて前記回転力が消失することにより前記押し付け部がもとの形に復元することにより前記負圧開閉口を開放する構成としたことを特徴とする請求項１に記載の搾乳器。
【請求項３】
前記第１貯留部は、前記母乳を一時的に溜める容器と、一時的に溜めた前記母乳を前記第２貯留部へ流出させる開閉口と、前記開閉口を開閉する第１開閉手段を駆動する第１駆動手段とを備え、前記負圧発生手段は、前記吸排気管と、前記吸排気手段と、該吸排気手段を駆動する前記駆動手段としての第２駆動手段と、前記第２駆動手段の駆動により前記吸排気管の途中に設けられている負圧開放口を閉じ、前記第２駆動手段の駆動停止により前記負圧開放口を開く第２開閉手段とを備え、かつ前記第１駆動手段の駆動時には、前記第２駆動手段の駆動が停止され、前記第２駆動手段の駆動時には、前記第１駆動手段の駆動を停止する制御部を有することを特徴とする請求項１または２のいずれかに記載の搾乳器。
【請求項４】
前記第１駆動手段は、直流モータである請求項３に記載の搾乳器。
【請求項５】
前記第１駆動手段は、ソレノイドである請求項３に記載の搾乳器。
【請求項６】
前記第１駆動手段は、バッテリにより駆動される請求項３ないし５のいずれかに記載の搾乳器。
【請求項７】
前記第１駆動手段は、ＡＣアダプタを介して駆動される請求項３ないし５のいずれかに記載の搾乳器。
【発明の詳細な説明】
【０００１】
【発明の属する技術分野】
この発明は、負圧により母乳を搾り出すための搾乳器に関するものである。
【０００２】
【従来の技術】
母乳を搾り出すための搾乳器は、一般に、乳房の上にはまるフード部と、このフード部内に負圧を発生させるポンプと、搾り出された母乳を受けるための容器とを有している。
このような母乳用の搾乳器は、たとえば特開平１−３１７４４８号公報に開示されている。従来の搾乳器においては、手動操作可能なポンプをフード部及び容器から取り外して駆動ユニットに収容・保持し、ポンプのピストンを駆動ユニットに備えられているモータ等を使った電動式のピストン駆動手段に接続して往復運動させることにより、フード部内において負圧を発生させて母乳を搾り出している。
【０００３】
【発明が解決しようとする課題】
しかし、上述した従来の搾乳器では、駆動ユニットを必要とするため大掛かりなものとなり、運搬が困難であるという問題があった。従って、母乳を搾り出すための搾乳器は、簡単な構成により手軽に母乳を搾り出すようにできることが望ましい。
そこで、この発明は上記課題を解消するためになされものであり、簡単な構成で手軽に母乳を搾り出すことができる搾乳器を提供することを目的としている。
【０００４】
【課題を解決するための手段】
上記目的は、請求項１の発明にあっては、負圧により母乳を搾り出すための搾乳器において、乳房に当てるための搾乳部と、前記搾乳部に接続配置され、前記搾乳部内に前記負圧を発生させる負圧発生手段と、前記搾乳部に接続配置され、前記負圧により搾り出された前記母乳を一時的に溜める第１貯留部と、前記搾乳部に接続配置され、前記第１貯留部に一時的に溜められた前記母乳を溜める第２貯留部と、前記搾乳部の内外をつなぐ吸排気管と前記吸排気管との途中に接続され、前記搾乳部内の空気を吸気して前記搾乳部外へ排気する吸排気手段を駆動する駆動手段とを備えており、該駆動手段の駆動により生成される回転力により負圧開放口を閉止し、該駆動手段の駆動停止により、前記回転力が消失することで、前記負圧開放口を開放する構成とした搾乳器により、達成される。
【０００６】
【発明の実施の形態】
以下、この発明の好適な実施の形態を添付図面に基づいて詳細に説明する。
尚、以下に述べる実施の形態は、この発明の好適な具体例であるから、技術的に好ましい種々の限定が付されているが、この発明の範囲は、以下の説明において特にこの発明を限定する旨の記載がない限り、これらの形態に限られるものではない。
【０００７】
図１は、この発明の搾乳器の好ましい一形態を表す斜視図であり、図２及び図３はその主要部の断面側面図である。
この搾乳器は、母乳を搾る働きをするフード部１０と、母乳を搾る際の駆動源となる駆動部２０と、搾った母乳を貯留する貯留部４０とを備えている。この搾乳器は、フード部１０の上部に駆動部２０が接続配置され、フード部１０の下部に貯留部４０が接続配置されている。
【０００８】
まず、フード部１０について説明する。
フード部１０は、ラッパ状部分１１と、このラッパ状部分１１と一体成形された筒状部分１２と、この筒状部分１２と一体成形された蓋部１３とで成る搾乳部を備え、さらに、筒状部分１２と蓋部１３との接続部に設けられた排乳口１２１に接続され、かつ貯留部４０側に延びるチューブ１２２を覆うように設けられた一時保存部１４を備えている。
【０００９】
ラッパ状部分１１は、乳房と乳首を囲むような形状をなし、ラッパ状部分１１と筒状部分１２は、排乳口１２１に続く母乳通路１１１を画成している。
筒状部分１２の周側面には、後で詳述する圧力調節手段２８が配設され、筒状部分１２の後端には、チューブ１２２に接続され、かつ駆動部２０側に延びるチューブ１２３が一体成形されている。
蓋部１３のメネジ１３１は、貯留部４０の首部４０１の回りに形成されているオネジ４０２と着脱可能にかみ合わされている。
【００１０】
このフード部１０のラッパ状部分１１と、筒状部分１２と、蓋部１３とは、好ましくは透明の材料により成形されており、例えばポリカーボネート（ＰＣ）、ポリプロピレン（ＰＰ）、アクリル、ＡＢＳ（アクリルニトリルブタジエンスチレン共重合樹脂）等により成形されている。一時保存部１４は、好ましくは不透明の材料により成形されており、例えば上述したＡＢＳ、ＰＰ、ＰＣ等により成形されている。
【００１１】
次に、駆動部２０について説明する。
駆動部２０は、第１のカバー２１と、第２のカバー２２を備えている。第１のカバー２１は、第２のカバー２２に対して着脱可能に取り付けられている。そして、第１のカバー２１をはずすことにより、電源２３を交換することができる。第１のカバー２１と第２のカバー２２は、好ましくは不透明の材料により成形されており、例えば上述したＡＢＳ、ＰＰ、ＰＣ等により成形されている。
【００１２】
第１のカバー２１と第２のカバー２２の中には、バッテリ等の電源２３と、この電源２３に接続された直流モータ等の駆動手段２４、２５及びこれらの駆動手段２４、２５を駆動制御する制御基板２６と、駆動手段２４に接続され、一時保存部１４の開閉弁１４３を開閉する開閉手段３０と、筒状部分１２の後端に設けられたチューブ１２３に接続可能であって、ラッパ状部分１１及び筒状部分１２の内部と外部をつなぐ吸排気管３１と、この吸排気管３１の途中に接続され、かつ駆動手段２５に接続された吸引ポンプ等の吸排気手段３２と、吸排気管３１の途中に設けられている負圧開放口３１３ａを開閉する開閉手段３３と、電源２３と駆動手段２４、２５及び制御基板２６の間に配置されたスイッチ３４とを内蔵している。
【００１３】
電源２３は、例えば単３の電池が２本であり、第１のカバー２１の中に着脱自在に配置されている。そして、オペレータがスイッチ３４をオン操作することにより、電源２３から駆動手段２４、２５及び制御基板２６に対して直流電流が供給されるようになっている。
【００１４】
電源２３、駆動手段２４、制御基板２６、開閉手段３０、スイッチ３４及び一時保存部１４により、一時的に溜めた母乳を貯留部４０に移し替える第１貯留部を構成しており、電源２３、駆動手段２４、制御基板２６及びスイッチ３４が、この第１貯留部の駆動手段を構成している。
【００１５】
一時保存部１４は、図４に示すように、チューブ１２２に接続されるチューブ１４１と、このチューブ１４１の径より小さい径であって、チューブ１４１に接続されたチューブ１４２と、このチューブ１４２の開口部を開閉する平板状の開閉弁１４３とを備えている。
開閉弁１４３は、てこの形態でチューブ１４２近傍に取り付けられており、開閉弁１４３の一端側に取り付けられたバネ材１４４の復元力及びチューブ１４２近傍にスライド可能に取り付けられたピン１４５に挿入されている圧縮バネ１４６の復元力によりチューブ１４２の開口部を閉じ、ピン１４５の押下力によりチューブ１４２の開口部を開けるようになっている。
チューブ１４１及びチューブ１４２により母乳を一時的に溜める容器を構成し、開閉弁１４３、バネ材１４４及びピン１４５により開閉口を構成している。
【００１６】
開閉手段３０は、駆動手段２４の駆動軸２４１に取り付けられたカム３０１と、このカム３０１により一方向の動作を規制されるカム受け材３０２と、このカム受け材３０２が固定され、カム受け材３０２の動作により一時保存部１４のピン１４５を押し下げるピン３０３と、このピン３０３を押し上げる働きをする圧縮バネ３０４とを備えている。
【００１７】
電源２３、駆動手段２５、制御基板２６、吸排気管３１、吸排気手段３２、開閉手段３３及びスイッチ３４により、ラッパ状部分１１及び筒状部分１２の内部に負圧を発生させる負圧発生手段を構成しており、電源２３、駆動手段２５、制御基板２６及びスイッチ３４が、この負圧発生手段の駆動手段を構成している。
【００１８】
吸排気管３１は、図５の分解斜視図に示すように、空気通路が設けられたプレート３１１と、このプレート３１１に張り合わせられるプレート３１２と、このプレート３１２上に固定されるチューブ３１３、３１４とにより構成される。
プレート３１１表面には、溝形状の第１空気通路３１１ａ及び第３空気通路３１１ｃと、円形状の第２空気通路３１１ｂとが設けられており、各空気通路３１１ａ、３１１ｂ、３１１ｃはプレート３１１内部で互いに連結されている。
プレート３１２には、第１空気通路３１１ａ、第２空気通路３１１ｂ及び第３空気通路３１１ｃにそれぞれ対応した第１貫通穴３１２ａ、第２貫通穴３１２ｂ及び第３貫通穴３１２ｃが設けられている。
チューブ３１３は、Ｌ字形状をなし、その一端はチューブ１２３に接続され、その他端は塞がれている。Ｌ字の曲がり部には開口が設けられており、この開口が第１貫通穴３１２ａに連結されている。また、塞がれた他端に向かう途中の周側面には負圧開放口３１３ａが設けられている。
チューブ３１４は、その一端は第３貫通穴３１１ｃに連結され、その他端は開放されている。
【００１９】
吸排気手段３２は、図５の分解斜視図に示すように、駆動手段２５が固定され、かつその駆動軸２５１が突き出されているプレート３２１と、駆動手段２５の駆動軸２５１に接続されている吸引ポンプ３２２とを備えている。
プレート３２１は、プレート３１１に対して直角に一体成形されている。
吸引ポンプ３２２は、ダイヤフラム３２２ａと、フランジ部３２２ｂと、ボス部３２２ｃと、スリーブ３２２ｄと、吸気弁３２２ｅと、排気弁３２２ｆと、偏心部材３２２ｇとを有している。
【００２０】
図６及び図７に示すようにダイヤフラム３２２ａとフランジ部３２２ｂは、ポンプ室３２２ｈを画成している。フランジ部３２２ｂには、吸気弁３２２ｅと排気弁３２２ｆが形成されている。排気弁３２２ｆの上面は、フランジ部３２２ｂの上面より低い位置に形成されている。これに対して、吸気弁３２２ｅの上面は、フランジ部３２２ｂの上面と面一となるように形成されている。排気弁３２２ｆの下面は、フランジ部３２２ｂの下面と面一となるように形成されている。これに対して、吸気弁３２２ｅの下面は、フランジ部３２２ｂの下面より低い位置に形成されている。
ボス部３２２ｃは、ダイヤフラム３２２ａの中央部に一体に形成されている。スリーブ３２２ｄは、ボス部３２２ｃに取り付けられている。
【００２１】
この吸引ポンプ３２２は、プレート３１１とプレート３１２に挟み込まれて配置される。即ち、フランジ部３２２ｂがプレート３１１の第２空気通路３１１ｂに位置するように、かつ吸気弁３２２ｅと排気弁３２２ｆがプレート３１１の第１空気通路３１１ａと第３空気通路３１１ｃに位置するように配設された後、ダイヤフラム３２２ａがプレート３１１の第２空気通路３１１ｂから突き出すように配設される。
偏心部材３２２ｇは、駆動手段２５の駆動軸２５１に接続されており、偏心部材３２２ｇの偏心部３２２ｈがスリーブ３２２ｄに回転可能に挿入される。
【００２２】
開閉手段３３は、図８の分解斜視図に示すように、リング状の部材３３１ａと円盤状の部材３３１ｂで円錐台形を形成するように構成され、偏心部材３２２ｇが内部に挿入されると共に偏心部材３２２ｇを貫通する駆動軸２５１が円盤状の部材３３１ｂの中心穴に貫通される押付け部３３１と、この押付け部３３１と偏心部材３２２ｇの間に等配置（この例では２等配）された重り３３２と、押付け部３３１によりチューブ３１３の負圧開放口３１３ａを開閉する負圧開放口開閉部３３３とを備えている。
【００２３】
重り３３２はバネ材で成る２本の足を有しており、一方の足３３２ａは押付け部３３１を構成する円盤状の部材３３１ｂの外周に固定され、他方の足３３２ｂは偏心部材３２２ｇの一端のフランジ部３２２ｉの外周に固定される。
負圧開放口開閉部３３３は、プレート３１２に対して直角に一体成形されているプレート３３４上にてこの形態で固定されている。負圧開放口開閉部３３３の一端が押付け部３３１の押圧力により押されると、負圧開放口開閉部３３３の他端が負圧開放口３１３ａを閉じ、負圧開放口開閉部３３３の一端が押付け部３３１の押圧力から開放されると、この一端に固定されている圧縮バネ３３３ａの復元力により負圧開放口開閉部３３３の他端が負圧開放口３１３ａを開けるようになっている。
【００２４】
圧力調節手段２８は、図９の断面側面図及び図１０の分解斜視図に示すように、略円筒状のボディ２８１の端面側に開口した凹陥部２８１ａに、通気路２８１ｂが連通されている。凹陥部２８１ａの底面の中央には軸受穴２８１ｃが設けられ、この軸受穴２８１ｃの外側には通気路２８１ｂに連通し、かつ周方向に延びる円弧状の連通溝２８１ｄが設けられ、この連通溝２８１ｄが途切れた部分には位置決め用の突起２８１ｅが設けられている。そして、凹陥部２８１ａの開口端の内側にはＶ字状に切り欠いたノッチ２８１ｆが周方向に等間隔に複数個設けられていると共に、開口端の外側にはツマミ２８２の抜けを防止するためのフランジ２８１ｇが形成されている。
【００２５】
凹陥部２８１ａ内には、ノズル板２８３、通路体２８４及び回転部材２８５が底面側から逐次的に収納されている。
ノズル板２８３は、円形の薄板材から成り、その中心には軸受穴２８１ｃと同径の中心穴２８３ａが設けられていると共に、その外側には突起２８１ｅが貫通する貫通穴２８３ｂと、連通溝２８１ｄに連通されるよう同心上に配置された互いに径の異なる複数個のノズル孔２８３ｃとが設けられている。
通路体２８４は、円盤形を成し、その一面の中央には中心穴２８３ａを貫通して軸受穴２８１ｃに嵌合される軸２８４ａが突出形成されていると共に、その他面の貫通穴２８３ｂとノズル孔２８３ｃとに対応する位置には突部２８４ｂが突出形成されている。この突部２８４ｂには、突起２８１ｅを挿入できる通気孔２８４ｃが貫装されており、挿入された突起２８１ｅにより通路体２８４の回動を防止している。通気孔２８４ｃの開口端は回転部材２８５の背面により閉鎖可能となっている。
【００２６】
回転部材２８５は、凹陥部２８１ａに緩くはまり合う円盤部２８５ａと、その円盤部２８５ａの上面中央に立設された角柱部２８５ｂと、円盤部２８５ａの上面周縁に立設され、かつ上端部を円弧状に湾曲させたアーム部２８５ｃとを有している。アーム部２８５ｃの先端には、外側に突出するノッチ突起２８５ｄが設けられている。円盤部２８５ａの下面には、通路体２８４の複数個の通気孔２８４ｃのうちの１個とのみ連通可能な扇形を成す切り欠き通路２８５ｅが設けられている。
ツマミ２８２は、互いに同心を成すように設けられた内筒部２８２ａ及び外筒部２８２ｂを有している。内筒部２８２ａの中央には回転部材２８５の角柱部２８５ｂがはまり合う角柱穴２８２ｃが設けられ、これによりツマミ２８２と回転部材２８５を回転方向に一体としている。外筒部２８２ｂの内側にはボディ２８１からの抜けを防止するためフランジ２８１ｇに係合される爪部２８２ｄが設けられている。
【００２７】
ここで、ツマミ２８２を回転すると、回転部材２８５も同方向に回転するので、回転部材２８５の裏面に設けた切り欠き通路２８５ｄが周方向に回転変位して、通路体２８４の通気孔２８４ｃに連通する。通路体２８４の通気孔２８４ｃは、ノズル板２８３に設けた互いに径の異なるノズル孔２８３ｃを介して通気路２８１ｂと連通しているので、ノズル孔２８３ｃの径の大きさに応じた外気が通気路２８１ｂに流れ込む。従って、ノズル孔２８３ｃを選択して通気路２８１ｂに流れ込む空気量を調節することにより、フード部１０の筒状部分１２内の負圧の大きさを適宜に調節することができる。
【００２８】
尚、ツマミ２８２を回転すると、回転部材２８５のアーム部２８５ｃの先端に設けたノッチ突起２８５ｄがアーム部２８５ｃの弾性による押圧力に抗してボディ２８１の凹陥部２８１ａ内に設けたノッチ２８１ｆ間を移動するため、その移動時における抵抗力の変化によりツマミ２８２を回転させる際の節度感を与えることができると共に、ノッチ２８１ｆによって回転部材２８５の位置決めを行うことができる。
【００２９】
貯留部４０は、蓋部１３のメネジ１３１と着脱可能にかみ合うオネジ４０２及び開口部４０３を有する首部４０１と、この首部４０１と一体成形され、母乳を溜めるための容器４０４とを備えている。そして、この容器４０４は、搾乳器を安定しておくために底部が比較的広い面積となっている。
貯留部４０は、好ましくは透明の材料により成形されており、例えば上述したＰＣ、ＰＰ、ポリエチレン等により成形されている。
ところで、この発明は上記実施の形態に限定されるものではない。例えばバッテリ等の電源２３を貯留部４０の側部に配置してもよい。このようにするこにより、搾乳器の安定性を上げることができる。また、電源２３は、バッテリの代わりに、ＡＣアダプタを介しても良い。駆動手段２４、２５は、電動式のモータに限らず、例えばリニアモータやゼンマイ等でも良い。
【００３０】
図１１は、負圧発生手段及び第１貯留部の駆動制御ブロック図の一例を示す。電源２３は、制御基板２６内の制御部２６１及び駆動手段２４、２５にそれぞれ接続され、電力を供給するようになっている。
制御部２６１は、駆動手段２４、２５にそれぞれ接続され、所定のタイミングにより、駆動手段２４、２５の駆動を制御し、第１貯留部を構成する開閉手段３０及び一時保存部１４や、負圧発生手段を構成する吸排気手段３２及び開閉手段３３を動作させる。
【００３１】
この制御タイミングは、例えば図１２に示すように、駆動手段２５を時点ｔ１でオンし、時点ｔ２でオフし、また時点ｔ３でオンするというサイクルを繰り返した場合、駆動手段２４は駆動手段２５がオンのときはオフにし、オフのときはオンにするサイクルを繰り返す。１サイクルの時間は、例えば１．５秒であり、この時間は制御基板２６に設けられているダイヤル２６２を回すことにより可変可能である。尚、駆動手段２５をオフしてから駆動手段２４をオンするまでに所定のタイムラグを設定しても良い。
【００３２】
次に、上述した搾乳器により、母乳を搾り出す動作を図１３のフローチャート及び図１４から図１７の動作状態を示す図を用いて説明する。尚、矢印ＭＡは、母乳の流れを示ている。
オペレータが乳房にラッパ状部分１１を押し当ててスイッチ３４をオン操作すると（ＳＴＰ１）、駆動源２３から駆動手段２５に対して電力が供給されて、駆動軸２５１及び偏心部材３２２ｇが回転する（ＳＴＰ２）。これにより、図１４及び図１５に示すように、ダイヤフラム３２２ａがスリーブ３２２ｄ及びボス部３２２ｃに押されたり引っ張られる動作を繰り返す（ＳＴＰ３）。
【００３３】
ほぼ同時に、押付け部３３３と共に重り３３２が回転し、遠心力により重り３３２が図１５に示すように外方へ張り出す。すると、フランジ部３２２ｉに固定されている足３３２ｂはそのままの位置で曲がるが、円盤状の部材３３１ｂに固定されている足３３２ａは円盤状の部材３３１ｂ、即ち押付け部３３１を駆動軸２５１に沿って押し下げる（ＳＴＰ４）。そして、円盤状の部材３３１ｂは負圧開放口開閉部３３３の一端を押し下げ、負圧開放口開閉部３３３の他端は負圧開放口３１３ａを閉じる（ＳＴＰ５）。
【００３４】
その後、ダイヤフラム３２２ａがスリーブ３２２ｄ及びボス部３２２ｃに引っ張られると、吸気弁３２２ｅが開いて排気弁３２２ｆが閉じるので、ラッパ状部分１１及び筒状部分１２の内部の空気は、チューブ３１３から第１貫通穴３１２ａを通り、吸気弁３２２ｅから第１空気通路３１１ａ及び第２空気通路３１１ｂを通ってポンプ室３２２ｈ内に導かれる。
そして、ダイヤフラム３２２ａがスリーブ３２２ｄ及びボス部３２２ｃに押されると吸気弁３２２ｅが閉じて排気弁３２２ｆが開くので、ポンプ室３２２ｈ内の空気は、第２空気通路３１１ｂ及び第３空気通路３１１ｃを通り、排気弁３２２ｆから第３貫通穴３１２ｃを通ってチューブ３１４から外へ排気される（ＳＴＰ６）。
【００３５】
この吸排気動作を繰り返すことにより、圧力調節手段２８から若干の空気が筒状部分１２内に流入するので、ラッパ状部分１１及び筒状部分１２の内部に所定の負圧を発生させることができ、搾乳することができる（ＳＴＰ７、８）。乳房から搾り出された母乳は、母乳通路１１１を通過して排乳口１２３へ向かって流れる（ＳＴＰ９）。母乳通路１１１を通過してきた母乳は排乳口１２３から流れ落ち、一時保存部１４内に貯留される（ＳＴＰ１０）。
【００３６】
そして、制御部２６１は、所定時間、即ち図１２に示す時点ｔ１から時点ｔ２までの時間が経過したか否かを判断し（ＳＴＰ１１）、所定時間が経過していないときはＳＴＰ８に戻って上述した動作を繰り返す。
一方、所定時間が経過したならば、制御部２６１は、駆動源２３から駆動手段２５に対する電力の供給を停止して、駆動軸２５１及び偏心部材３２２ｇの回転を停止する（ＳＴＰ１２）。これにより、ダイヤフラム３２２ａがスリーブ３２２ｄ及びボス部３２２ｃに押されたり引っ張られる動作も停止する（ＳＴＰ１３）。
【００３７】
ほぼ同時に、押付け部３３１と共に重り３３２の回転も停止し、重り３３２が図１４に示すようにフランジ部３２２ｉに固定されている足３３２ｂの復元力により元の状態に戻る（ＳＴＰ１４）。すると、円盤状の部材３３１ｂに固定されている足３３２ａは円盤状の部材３３１ｂ、即ち押付け部３３１を駆動軸２５１に沿って押し上げる。そして、圧縮バネ３３３ａの復元力により負圧開放口開閉部３３３の一端が押し上げられ、負圧開放口開閉部３３３の他端は負圧開放口３１３ａを開く（ＳＴＰ１５）。
制御部２６１は、所定時間、即ち図１２に示す時点ｔ２から時点ｔ３までの時間が経過したか否かを判断し（ＳＴＰ１６）、所定時間が経過していないときはＳＴＰ１５に戻って上述した動作を繰り返す。
【００３８】
また、ＳＴＰ１１において、所定時間が経過したならば、制御部２６１は、駆動源２３から駆動手段２４に対して電力を供給し、駆動軸２４１及びカム３０１を回転させる（ＳＴＰ１７）。すると、図１６及び図１７に示すように、カム３０１によりカム受け材３０２及びピン３０３が押し下げられ、さらにピン３０３によりピン１４５が押し下げられる。そして、ピン１４５により開閉弁１４３が開けられ、チューブ１４２内に溜められた母乳を貯留部４０内へ流出させる（ＳＴＰ１８）。さらに、カム３０１が回転してカム受け材３０２から外れると、圧縮バネ３０４の復元力によりピン３０３が押し上げられ、ピン３０３とピン１４５が離れるので圧縮バネ１４６の復元力によりピン１４５が押し上げられる。そして、バネ材１４４の復元力により開閉弁１４３が閉じる（ＳＴＰ１９）。
【００３９】
制御部２６１は、所定時間、即ち図１２に示す時点ｔ２から時点ｔ３までの時間が経過したか否かを判断し（ＳＴＰ２０）、所定時間が経過していないときはＳＴＰ１８に戻って上述した動作を繰り返す。
一方、所定時間が経過したときは、制御部２６１は、駆動源２３から駆動手段２４に対して電力の供給を停止し、駆動軸２４１及びカム３０１の回転を停止させる（ＳＴＰ２１）。
以上のＳＴＰ１２からＳＴＰ１６までの動作と、ＳＴＰ１７からＳＴＰ２１までの動作は並行処理される。
【００４０】
そして、オペレータは、搾乳を止めるか否かを判断し、搾乳を続行するときはそのままの状態でＳＴＰ２に戻って上述した動作を繰り返す。一方、搾乳を止めるときは、スイッチ３４をオフ操作して終了する（ＳＴＰ２２）。
尚、オペレータは負圧による吸引の調子を判断し、調子が悪いときは圧力調節手段２８を搾乳中であっても調整することができる。
【００４１】
図１８には、この発明の搾乳器における搾乳器の吸引圧曲線の一例を示し、図１９には、乳児の吸引圧曲線の一例を示している。
この発明の搾乳器における搾乳器の吸引圧曲線は、乳児の吸引圧曲線にかなり似ていて脈動していることが分かる。尚、この発明の搾乳器における吸引圧は、乳児の実際の吸引圧よりも高めに設定するのが好ましい。何故なら、乳児の場合には、実際は、吸引圧以外の要素を含んで母乳を飲んでいるからであると考えられるためである。
【００４２】
図２０においては、図１に示した搾乳器の実施の形態に、さらに乳頭アダプタ５０を追加している。この乳頭アダプタ５０は、フード部１０における吸引動作の際に、乳房が吸い込まれて痛い思いをするのを防止するための部材である。
図２１から図２３に示すように、この乳頭アダプタ５０は、乳房を受ける受け部５１と、部分５２を有している。この受け部５１はラッパ状であり、受け部５１の小径部分５３は部分５２に接続されている。部分５２は円筒状であり、母乳の通路を有している。受け部５１と部分５２は、フード部１０の内壁に接触することにより、乳頭アダプタ５０を位置決めするようになっている。
受け部５１には、複数の突起５４が形成されている。フード部１０における吸引動作により、乳房がこれらの突起５４に対して押しつけられて、指の腹部等で刺激やマッサージをする（もむ動作）ような効果が得られる。そして、乳頭アダプタ５０の作用と、上述した搾乳時の脈動の吸収との相乗効果により、よりリアルに指の腹部等で刺激やマッサージをする状態に近づき、あるいは乳児の母乳を吸う動作にも近づけることができる。
【００４３】
以上述べた搾乳器を使用する前や使用した後は、殺菌のために搾乳器を煮沸消毒する必要がある。そのため、搾乳器のフード部１０、駆動部２０及び貯留部４０は、図２４に示すように分解することができる。即ち、フード部１０の上部に載置されている駆動部２０は、筒状部分１２に設けられているチューブ１２３とチューブ３１３とがＯリングを介して接続されているので、フード部１０を抑えて駆動部２０を引き上げれば取り外すことができる。また、フード部１０の下部に配置されている貯留部４０は、蓋部１３のメネジ１３１と首部４０１のオネジ４０２がはめ合わされて接続されているので、フード部１０を抑えて貯留部４０を回せば取り外すことができる。尚、駆動部２０を防水仕様にすれば、駆動部２０も煮沸消毒することが可能となるので、フード部１０と駆動部２０を一体化することも可能である。
【００４４】
尚、上述した形態の搾乳器の貯留部４０に、例えば図２５や図２６に示すようなフード部１０の反対側に位置する把手６１やフード部１０の両側に位置する把手６２を設ければ、搾乳時の取扱いがさらに楽になり、また搾乳器の安定性を向上させることがきる。
【００４５】
【発明の効果】
以上説明したように、この発明によれば、簡単な構成でありながら、手軽に母乳を搾り出すことができる。
【図面の簡単な説明】
【図１】この発明の搾乳器の一形態を示す斜視図。
【図２】図１に示す搾乳器の主要部の断面側面を示す第１の図。
【図３】図１に示す搾乳器の主要部の断面側面を示す第２の図。
【図４】図１に示す搾乳器の第１貯留部の詳細例を示す斜視図。
【図５】図１に示す搾乳器の負圧発生手段の詳細例を示す第１の斜視図。
【図６】図５に示す負圧発生手段の主要部の詳細例を示す第１の図。
【図７】図５に示す負圧発生手段の主要部の詳細例を示す第２の図。
【図８】図１に示す搾乳器の負圧発生手段の詳細例を示す第２の斜視図。
【図９】図１に示す搾乳器の圧力調節手段の一例を示す断面側面図。
【図１０】図９に示す圧力調節手段の一例を示す分解斜視図。
【図１１】図１に示す搾乳器の駆動制御ブロックの一例を示す図。
【図１２】図１１に示す駆動制御の一例を示すタイミングチャート。
【図１３】図１に示す搾乳器の動作例を示すフローチャート。
【図１４】図１に示す搾乳器の動作例を示す第１の断面側面図。
【図１５】図１に示す搾乳器の動作例を示す第２の断面側面図。
【図１６】図１に示す搾乳器の動作例を示す第３の断面側面図。
【図１７】図１に示す搾乳器の動作例を示す第４の断面側面図。
【図１８】図１に示す搾乳器における吸引圧曲線の一例を示す図。
【図１９】乳児の吸引圧曲線の一例を示す図。
【図２０】乳頭アダプタを備えるこの発明の他の実施の形態を示す平面図。
【図２１】乳頭アダプタの正面図。
【図２２】図２１における乳頭アダプタのＡ−Ａ線断面図。
【図２３】乳頭アダプタの背面図。
【図２４】図１に示す搾乳器の分解平面図。
【図２５】この発明の搾乳器の別の実施の形態を示す平面図。
【図２６】この発明の搾乳器のさらに別の実施の形態を示す平面図。
【符号の説明】
１０                    フード部
１１                    ラッパ状部分
１２                    筒状部分
１３                    蓋部
１４                    一時保存部
２０                    駆動部
２１                    第１のカバー
２２                    第２のカバー
２３                    電源
２４                    駆動手段
２５                    駆動手段
２６                    制御基板
２８                    圧力調節手段
３０                    開閉手段
３１                    吸排気管
３２                    吸排気手段
３３                    開閉手段
３４                    スイッチ
４０                    貯留部
【図１】
0003698218.tif 000002
【図２】
0003698218.tif 000003
【図３】
0003698218.tif 000004
【図４】
0003698218.tif 000005
【図５】
0003698218.tif 000006
【図６】
0003698218.tif 000007
【図７】
0003698218.tif 000008
【図８】
0003698218.tif 000009
【図９】
0003698218.tif 000010
【図１０】
0003698218.tif 000011
【図１１】
0003698218.tif 000012
【図１２】
0003698218.tif 000013
【図１３】
0003698218.tif 000014
【図１４】
0003698218.tif 000015
【図１５】
0003698218.tif 000016
【図１６】
0003698218.tif 000017
【図１７】
0003698218.tif 000018
【図１８】
0003698218.tif 000019
【図１９】
0003698218.tif 000020
【図２０】
0003698218.tif 000021
【図２１】
0003698218.tif 000022
【図２２】
0003698218.tif 000023
【図２３】
0003698218.tif 000024
【図２４】
0003698218.tif 000025
【図２５】
0003698218.tif 000026
【図２６】
0003698218.tif 000027